(57)【要約】【課題】フレキシブル配線基板の幅を狭くすることを目的とする。【解決手段】タッチパネル内蔵型液晶表示装置は、タッチパネル４２を構成するための配線パターン３８が形成された第２基板１２と、第２基板１２に重なる部分を有するように接合されて配線パターン３８に電気的に接続するフレキシブル配線基板４８と、を含む。フレキシブル配線基板４８は、多層基板であって、配線パターン３８に重なって電気的に接続される複数の端子部６８を含む第１導電パターン層５６と、第２導電パターン層５８と、第１導電パターン層５６と第２導電パターン層５８の間に介在する絶縁層６０と、絶縁層６０を貫通して複数の端子部６８をそれぞれ第２導電パターン層５８に電気的に接続する複数のコンタクト部７６と、を含む。複数のコンタクト部７６は、複数の端子部６８と重なるように配置される。【選択図】図３
2014134658.tif 000002
【特許請求の範囲】
【請求項１】
液晶材料を駆動するための回路層が形成された第１基板と、
タッチパネルを構成するための配線パターンが形成された第２基板と、
前記第２基板に重なる部分を有するように接合されて前記配線パターンに電気的に接続するフレキシブル配線基板と、
を含み、
前記フレキシブル配線基板は、多層基板であって、前記配線パターンに重なって電気的に接続される複数の端子部を含む第１導電パターン層と、第２導電パターン層と、前記第１導電パターン層と前記第２導電パターン層の間に介在する絶縁層と、前記絶縁層を貫通して前記複数の端子部をそれぞれ前記第２導電パターン層に電気的に接続する複数のコンタクト部と、を含み、
前記複数のコンタクト部は、前記複数の端子部と重なるように配置されることを特徴とするタッチパネル内蔵型液晶表示装置。
【請求項２】
請求項１に記載されたタッチパネル内蔵型液晶表示装置において、
前記フレキシブル配線基板は、前記第２基板に重なる重複部と、前記重複部の長さ方向の中間部を避けて両端部の少なくとも一方から前記長さ方向に交差するように引き出される引出部と、を含み、
前記第２基板の縦方向の一方の側にあって横方向に延びる端部に、前記重複部は重なり、
前記重複部の前記長さ方向と前記第２基板の前記横方向が一致することを特徴とするタッチパネル内蔵型液晶表示装置。
【請求項３】
請求項２に記載されたタッチパネル内蔵型液晶表示装置において、
前記引出部は、前記重複部の前記長さ方向の前記両端部の一方から引き出されていることを特徴とするタッチパネル内蔵型液晶表示装置。
【請求項４】
請求項２に記載されたタッチパネル内蔵型液晶表示装置において、
前記引出部は、前記重複部の前記長さ方向の前記両端部からそれぞれ引き出され、
前記フレキシブル配線基板は、前記重複部から間隔をあけて、前記重複部の前記両端からそれぞれ引き出された前記引出部を連結する連結部をさらに有し、前記重複部と前記連結部の間にスペースが形成されていることを特徴とするタッチパネル内蔵型液晶表示装置。
【請求項５】
請求項２から４のいずれか１項に記載されたタッチパネル内蔵型液晶表示装置において、
前記複数の端子部は、隣り合う２つ以上の前記端子部からそれぞれが構成される複数のグループの前記端子部からなり、
前記第１導電パターン層は、それぞれの前記グループを構成する前記隣り合う２つ以上の前記端子部を電気的に接続する結線部を有することを特徴とするタッチパネル内蔵型液晶表示装置。
【請求項６】
請求項５に記載されたタッチパネル内蔵型液晶表示装置において、
前記第１導電パターン層は、隣同士の前記グループの前記端子部の間に、前記結線部に電気的に導通しないダミー端子を含むことを特徴とするタッチパネル内蔵型液晶表示装置。
【請求項７】
請求項５又は６に記載されたタッチパネル内蔵型液晶表示装置において、
前記複数の端子部は、それぞれ、前記重複部の前記長さに交差する幅方向に延びる形状であり、
前記結線部は、前記重複部の前記長さ方向に延びる形状であり、
それぞれの前記グループを構成する前記隣り合う２つ以上の前記端子部と前記結線部とが、交点部を共有して交差する形状をなしていることを特徴とするタッチパネル内蔵型液晶表示装置。
【請求項８】
請求項７に記載されたタッチパネル内蔵型液晶表示装置において、
前記結線部は、前記重複部の前記幅方向の中央に位置することを特徴とするタッチパネル内蔵型液晶表示装置。
【請求項９】
請求項７に記載されたタッチパネル内蔵型液晶表示装置において、
前記複数のグループの前記端子部にそれぞれ電気的に接続する複数の前記結線部は、前記複数のグループの前記端子部の配列順に、前記重複部の幅方向の一方側から他方側にずれて位置することを特徴とするタッチパネル内蔵型液晶表示装置。
【請求項１０】
請求項９に記載されたタッチパネル内蔵型液晶表示装置において、
前記複数のグループの前記端子部にそれぞれ電気的に接続する複数の前記結線部は、全て、前記重複部の中央よりも前記幅方向のいずれかの側にずれて位置することを特徴とするタッチパネル内蔵型液晶表示装置。
【請求項１１】
請求項７から１０のいずれか１項に記載されたタッチパネル内蔵型液晶表示装置において、
それぞれの前記グループを構成する前記隣り合う２つ以上の前記端子部は、１つの前記端子部と前記結線部との交点にランド部を有し、前記ランド部上に設けられた１つの前記コンタクト部によって、前記第２導電パターン層に電気的に接続されることを特徴とするタッチパネル内蔵型液晶表示装置。
【請求項１２】
請求項１１に記載されたタッチパネル内蔵型液晶表示装置において、
それぞれの前記グループの前記端子部は、３つ以上の前記端子部を含み、
前記ランド部は、前記３つ以上の前記端子部の配列方向で両端を除く位置にある前記端子部に設けられることを特徴とするタッチパネル内蔵型液晶表示装置。
【請求項１３】
請求項１１に記載されたタッチパネル内蔵型液晶表示装置において、
それぞれの前記グループの前記端子部は、３つ以上の前記端子部を含み、
前記ランド部は、前記３つ以上の前記端子部の配列方向で両端のいずれかに位置する前記端子部に設けられることを特徴とするタッチパネル内蔵型液晶表示装置。
【請求項１４】
請求項５から１３のいずれか１項に記載されたタッチパネル内蔵型液晶表示装置において、
それぞれの前記コンタクト部の外径は、前記端子部及び前記結線部の幅よりも大きいことを特徴とするタッチパネル内蔵型液晶表示装置。
【請求項１５】
請求項２から１４のいずれか１項に記載されたタッチパネル内蔵型液晶表示装置において、
前記フレキシブル配線基板の前記重複部は、圧着によって前記第２基板と接合される圧着部及び前記第２基板に圧着を避けて重なる非圧着部を有し、
前記複数のコンタクト部は、前記非圧着部に配置されていることを特徴とするタッチパネル内蔵型液晶表示装置。
【請求項１６】
請求項１５に記載されたタッチパネル内蔵型液晶表示装置において、
前記第２基板の、前記フレキシブル配線基板に接合される前記端部は、前記縦方向の先端側の外方部と、前記先端部よりも前記第２基板の中央側の内方部と、を含み、
前記圧着部は、前記外方部に接合され、
前記非圧着部は、前記内方部に重なることを特徴とするタッチパネル内蔵型液晶表示装置。
【請求項１７】
請求項２から１６のいずれか１項に記載されたタッチパネル内蔵型液晶表示装置において、
前記第１導電パターン層は、前記複数の端子部から分離されて前記引出部に配置された複数の第１配線を含み、
前記第２導電パターン層は、前記複数のコンタクト部にそれぞれ電気的に接続する複数の第２配線を含み、
前記第２導電パターン層の前記複数の第２配線は、それぞれ、前記フレキシブル配線基板の前記重複部を通って、前記引出部で前記第１導電パターン層の前記複数の第１配線に電気的に接続されることを特徴とするタッチパネル内蔵型液晶表示装置。
【請求項１８】
請求項１７に記載されたタッチパネル内蔵型液晶表示装置において、
前記複数の第２配線は、前記重複部で、前記複数のコンタクト部よりも、前記引出部が引き出される側の側端部を通る配線と、前記引出部が引き出される側とは反対側の側端部を通る配線と、を含むことを特徴とするタッチパネル内蔵型液晶表示装置。
【請求項１９】
請求項１７に記載されたタッチパネル内蔵型液晶表示装置において、
前記複数の第２配線は、前記重複部で、前記複数のコンタクト部よりも、前記引出部が引き出される側を避けて、前記引出部が引き出される側とは反対側の側端部を通ることを特徴とするタッチパネル内蔵型液晶表示装置。
【請求項２０】
請求項１７から１９のいずれか１項に記載されたタッチパネル内蔵型液晶表示装置において、
前記第２導電パターン層は、前記複数の第２配線との接触を避けるように形成された面状パターンを有することを特徴とするタッチパネル内蔵型液晶表示装置。
【請求項２１】
請求項１６に記載されたタッチパネル内蔵型液晶表示装置において、
前記第２導電パターン層は、前記複数の第２配線との接触を避けるように形成された面状パターンを有し、
前記面状パターンは、前記非圧着部との重複を避けて前記圧着部と重複するように形成されていることを特徴とするタッチパネル内蔵型液晶表示装置。
【請求項２２】
請求項５から１４のいずれか１項に記載されたタッチパネル内蔵型液晶表示装置において、
前記第２基板の前記配線パターンは、複数のターミナルを有し、
前記結線部によって電気的に接続されたそれぞれの前記グループを構成する前記隣り合う２つ以上の前記端子部は、前記第２基板の前記配線パターンの１つの前記端子に電気的に接続することを特徴とするタッチパネル内蔵型液晶表示装置。
【請求項２３】
請求項２から２２のいずれか１項に記載されたタッチパネル内蔵型液晶表示装置において、
前記第１基板は、前記第２基板から突出する突出部を有するように配置され、
前記第１基板の前記突出部は、前記フレキシブル配線基板の前記重複部が重なる前記第２基板の前記端部から突出することを特徴とするタッチパネル内蔵型液晶表示装置。
【請求項２４】
請求項２３に記載されたタッチパネル内蔵型液晶表示装置において、
前記フレキシブル配線基板の前記引出部は、前記第１基板の前記突出部の一部との重複を避けるように引き出されていることを特徴とするタッチパネル内蔵型液晶表示装置。
【請求項２５】
請求項２４に記載されたタッチパネル内蔵型液晶表示装置において、
前記第１基板の前記突出部の、前記フレキシブル配線基板の前記引出部と重複しない領域に搭載された集積回路チップと、
前記集積回路チップの外周に接触するように設けられた樹脂と、
をさらに有することを特徴とするタッチパネル内蔵型液晶表示装置。
【発明の詳細な説明】
【技術分野】
【０００１】
本発明は、タッチパネル内蔵型液晶表示装置に関する。
【背景技術】
【０００２】
タッチパネルを備えた液晶表示装置の多くは、液晶表示パネルとタッチパネルを重ねて配置した外付け型のものであり、例えば、特許文献１及びその対応米国特許である特許文献２に開示されている。タッチパネル及び液晶表示パネルは、それぞれ、フレキシブル配線基板によって外部との電気的な接続が図られる。
【先行技術文献】
【特許文献】
【０００３】
【特許文献１】特開２００９−１１６０９０号公報
【特許文献２】米国特許第８１９４０４８号公報
【発明の概要】
【発明が解決しようとする課題】
【０００４】
タッチパネルが液晶表示パネルと別部品になっていると装置全体の薄型化が難しいため、液晶表示パネルの中にタッチパネルを組み込むタイプの装置が開発されている。このようなタッチパネル内蔵型液晶表示装置では、液晶表示パネルの上側の基板は、タッチパネルにも共用されており、タッチパネルとの電気的接続のためのフレキシブル配線基板が接合されている。このフレキシブル配線基板によって、液晶表示パネルの下側の基板の端部が覆われてしまう。下側の基板の端部には、液晶表示パネルと外部との電気的接続のための端子が設けられているが、その上をフレキシブル配線基板が覆うことになる。そのため、例えば、液晶表示パネルに搭載する集積回路を保護する樹脂を設けるプロセスを行うことができないなどの問題があった。従来のフレキシブル配線基板は、多数の配線を形成するために広い幅が必要であり、タッチパネルに共用される上側の基板からのはみ出し量が大きくなることが、この問題の原因であった。
【０００５】
本発明は、フレキシブル配線基板の幅を狭くすることを目的とする。
【課題を解決するための手段】
【０００６】
（１）本発明に係るタッチパネル内蔵型液晶表示装置は、液晶材料を駆動するための回路層が形成された第１基板と、タッチパネルを構成するための配線パターンが形成された第２基板と、前記第２基板に重なる部分を有するように接合されて前記配線パターンに電気的に接続するフレキシブル配線基板と、を含み、前記フレキシブル配線基板は、多層基板であって、前記配線パターンに重なって電気的に接続される複数の端子部を含む第１導電パターン層と、第２導電パターン層と、前記第１導電パターン層と前記第２導電パターン層の間に介在する絶縁層と、前記絶縁層を貫通して前記複数の端子部をそれぞれ前記第２導電パターン層に電気的に接続する複数のコンタクト部と、を含み、前記複数のコンタクト部は、前記複数の端子部と重なるように配置されることを特徴とする。本発明によれば、複数のコンタクト部が複数の端子部と重なるのでフレキシブル配線基板の幅を狭くすることができる。
【０００７】
（２）（１）に記載されたタッチパネル内蔵型液晶表示装置において、前記フレキシブル配線基板は、前記第２基板に重なる重複部と、前記重複部の長さ方向の中間部を避けて両端部の少なくとも一方から前記長さ方向に交差するように引き出される引出部と、を含み、前記第２基板の縦方向の一方の側にあって横方向に延びる端部に、前記重複部は重なり、前記重複部の前記長さ方向と前記第２基板の前記横方向が一致することを特徴としてもよい。
【０００８】
（３）（２）に記載されたタッチパネル内蔵型液晶表示装置において、前記引出部は、前記重複部の前記長さ方向の前記両端部の一方から引き出されていることを特徴としてもよい。
【０００９】
（４）（２）に記載されたタッチパネル内蔵型液晶表示装置において、前記引出部は、前記重複部の前記長さ方向の前記両端部からそれぞれ引き出され、前記フレキシブル配線基板は、前記重複部から間隔をあけて、前記重複部の前記両端からそれぞれ引き出された前記引出部を連結する連結部をさらに有し、前記重複部と前記連結部の間にスペースが形成されていることを特徴としてもよい。
【００１０】
（５）（２）から（４）のいずれか１項に記載されたタッチパネル内蔵型液晶表示装置において、前記複数の端子部は、隣り合う２つ以上の前記端子部からそれぞれが構成される複数のグループの前記端子部からなり、前記第１導電パターン層は、それぞれの前記グループを構成する前記隣り合う２つ以上の前記端子部を電気的に接続する結線部を有することを特徴としてもよい。
【００１１】
（６）（５）に記載されたタッチパネル内蔵型液晶表示装置において、前記第１導電パターン層は、隣同士の前記グループの前記端子部の間に、前記結線部に電気的に導通しないダミー端子を含むことを特徴としてもよい。
【００１２】
（７）（５）又は（６）に記載されたタッチパネル内蔵型液晶表示装置において、前記複数の端子部は、それぞれ、前記重複部の前記長さに交差する幅方向に延びる形状であり、前記結線部は、前記重複部の前記長さ方向に延びる形状であり、それぞれの前記グループを構成する前記隣り合う２つ以上の前記端子部と前記結線部とが、交点部を共有して交差する形状をなしていることを特徴としてもよい。
【００１３】
（８）（７）に記載されたタッチパネル内蔵型液晶表示装置において、前記結線部は、前記重複部の前記幅方向の中央に位置することを特徴としてもよい。
【００１４】
（９）（７）に記載されたタッチパネル内蔵型液晶表示装置において、前記複数のグループの前記端子部にそれぞれ電気的に接続する複数の前記結線部は、前記複数のグループの前記端子部の配列順に、前記重複部の幅方向の一方側から他方側にずれて位置することを特徴としてもよい。
【００１５】
（１０）（９）に記載されたタッチパネル内蔵型液晶表示装置において、前記複数のグループの前記端子部にそれぞれ電気的に接続する複数の前記結線部は、全て、前記重複部の中央よりも前記幅方向のいずれかの側にずれて位置することを特徴としてもよい。
【００１６】
（１１）（７）から（１０）のいずれか１項に記載されたタッチパネル内蔵型液晶表示装置において、それぞれの前記グループを構成する前記隣り合う２つ以上の前記端子部は、１つの前記端子部と前記結線部との交点にランド部を有し、前記ランド部上に設けられた１つの前記コンタクト部によって、前記第２導電パターン層に電気的に接続されることを特徴としてもよい。
【００１７】
（１２）（１１）に記載されたタッチパネル内蔵型液晶表示装置において、それぞれの前記グループの前記端子部は、３つ以上の前記端子部を含み、前記ランド部は、前記３つ以上の前記端子部の配列方向で両端を除く位置にある前記端子部に設けられることを特徴としてもよい。
【００１８】
（１３）（１１）に記載されたタッチパネル内蔵型液晶表示装置において、それぞれの前記グループの前記端子部は、３つ以上の前記端子部を含み、前記ランド部は、前記３つ以上の前記端子部の配列方向で両端のいずれかに位置する前記端子部に設けられることを特徴としてもよい。
【００１９】
（１４）（５）から（１３）のいずれか１項に記載されたタッチパネル内蔵型液晶表示装置において、それぞれの前記コンタクト部の外径は、前記端子部及び前記結線部の幅よりも大きいことを特徴としてもよい。
【００２０】
（１５）（２）から（１４）のいずれか１項に記載されたタッチパネル内蔵型液晶表示装置において、前記フレキシブル配線基板の前記重複部は、圧着によって前記第２基板と接合される圧着部及び前記第２基板に圧着を避けて重なる非圧着部を有し、前記複数のコンタクト部は、前記非圧着部に配置されていることを特徴としてもよい。
【００２１】
（１６）（１５）に記載されたタッチパネル内蔵型液晶表示装置において、前記第２基板の、前記フレキシブル配線基板に接合される前記端部は、前記縦方向の先端側の外方部と、前記先端部よりも前記第２基板の中央側の内方部と、を含み、前記圧着部は、前記外方部に接合され、前記非圧着部は、前記内方部に重なることを特徴としてもよい。
【００２２】
（１７）（２）から（１６）のいずれか１項に記載されたタッチパネル内蔵型液晶表示装置において、前記第１導電パターン層は、前記複数の端子部から分離されて前記引出部に配置された複数の第１配線を含み、前記第２導電パターン層は、前記複数のコンタクト部にそれぞれ電気的に接続する複数の第２配線を含み、前記第２導電パターン層の前記複数の第２配線は、それぞれ、前記フレキシブル配線基板の前記重複部を通って、前記引出部で前記第１導電パターン層の前記複数の第１配線に電気的に接続されることを特徴としてもよい。
【００２３】
（１８）（１７）に記載されたタッチパネル内蔵型液晶表示装置において、前記複数の第２配線は、前記重複部で、前記複数のコンタクト部よりも、前記引出部が引き出される側の側端部を通る配線と、前記引出部が引き出される側とは反対側の側端部を通る配線と、を含むことを特徴としてもよい。
【００２４】
（１９）（１７）に記載されたタッチパネル内蔵型液晶表示装置において、前記複数の第２配線は、前記重複部で、前記複数のコンタクト部よりも、前記引出部が引き出される側を避けて、前記引出部が引き出される側とは反対側の側端部を通ることを特徴としてもよい。
【００２５】
（２０）（１７）から（１９）のいずれか１項に記載されたタッチパネル内蔵型液晶表示装置において、前記第２導電パターン層は、前記複数の第２配線との接触を避けるように形成された面状パターンを有することを特徴としてもよい。
【００２６】
（２１）（１６）に記載されたタッチパネル内蔵型液晶表示装置において、前記第２導電パターン層は、前記複数の第２配線との接触を避けるように形成された面状パターンを有し、前記面状パターンは、前記非圧着部との重複を避けて前記圧着部と重複するように形成されていることを特徴としてもよい。
【００２７】
（２２）（５）から（１４）のいずれか１項に記載されたタッチパネル内蔵型液晶表示装置において、前記第２基板の前記配線パターンは、複数のターミナルを有し、前記結線部によって電気的に接続されたそれぞれの前記グループを構成する前記隣り合う２つ以上の前記端子部は、前記第２基板の前記配線パターンの１つの前記端子に電気的に接続することを特徴としてもよい。
【００２８】
（２３）（２）から（２２）のいずれか１項に記載されたタッチパネル内蔵型液晶表示装置において、前記第１基板は、前記第２基板から突出する突出部を有するように配置され、前記第１基板の前記突出部は、前記フレキシブル配線基板の前記重複部が重なる前記第２基板の前記端部から突出することを特徴としてもよい。
【００２９】
（２４）（２３）に記載されたタッチパネル内蔵型液晶表示装置において、前記フレキシブル配線基板の前記引出部は、前記第１基板の前記突出部の一部との重複を避けるように引き出されていることを特徴としてもよい。
【００３０】
（２５）（２４）に記載されたタッチパネル内蔵型液晶表示装置において、前記第１基板の前記突出部の、前記フレキシブル配線基板の前記引出部と重複しない領域に搭載された集積回路チップと、前記集積回路チップの外周に接触するように設けられた樹脂と、をさらに有することを特徴としてもよい。
【図面の簡単な説明】
【００３１】
【図１】本発明の実施形態に係るタッチパネル内蔵型液晶表示装置の断面図である。
【図２】本発明の実施形態に係るタッチパネル内蔵型液晶表示装置の主要部の分解斜視図である。
【図３】第１基板及び第２基板の端部を示す断面図である。
【図４】フレキシブル配線基板の平面形状及び接続位置を示す平面図である。
【図５】フレキシブル配線基板の第１導電パターン層を示す平面図である。
【図６】フレキシブル配線基板の第２導電パターン層を示す平面図である。
【図７】フレキシブル配線基板の変形例１を示す図である。
【図８】フレキシブル配線基板の変形例２に係る第１導電パターンを示す図である。
【図９】フレキシブル配線基板の変形例２に係る第２導電パターンを示す図である。
【図１０】フレキシブル配線基板の変形例３に係る第１導電パターンを示す図である。
【図１１】フレキシブル配線基板の変形例３に係る第２導電パターンを示す図である。
【図１２】変形例４に係るタッチパネル内蔵型液晶表示装置を示す平面図である。
【図１３】変形例４に係るフレキシブル配線基板の第１導電パターンを示す図である。
【図１４】変形例４に係るフレキシブル配線基板の第２導電パターンを示す図である。
【図１５】変形例５に係るタッチパネル内蔵型液晶表示装置を示す平面図である。
【図１６】変形例５に係る配線パターンの画像表示領域の内側にある部分を拡大した図である。
【発明を実施するための形態】
【００３２】
以下、本発明の実施形態について図面を参照して説明する。
【００３３】
図１は、本発明の実施形態に係るタッチパネル内蔵型液晶表示装置の断面図である。図２は、本発明の実施形態に係るタッチパネル内蔵型液晶表示装置の主要部の分解斜視図である。
【００３４】
タッチパネル内蔵型液晶表示装置は、第１基板１０及び第２基板１２を有する。第１基板１０及び第２基板１２の間に、図１に示すように液晶材料１４が配置されている。第１基板１０及び第２基板１２との間であって液晶材料１４を挟む位置にそれぞれ配向膜１６，１６が形成されている。
【００３５】
第２基板１２は、光透過性材料（例えばガラス）からなる。第２基板１２は、カラーフィルタ基板であり、図示を省略した着色層及びブラックマトリクスが形成されている。第２基板１２には、配向膜１６が形成されている。配向膜１６は、図示を省略した着色層及びブラックマトリクスの上に形成される。
【００３６】
第１基板１０は、光透過性材料（例えばガラス）からなる。第１基板１０には、回路層１７が形成されている。回路層１７は、薄膜トランジスタ１８を含む。第１基板１０は、薄膜トランジスタ１８が形成されていることからＴＦＴ（Thin Film Transistor）基板ともよばれる。薄膜トランジスタ１８は、ポリシリコンなどの半導体膜２０と、半導体膜２０を覆うゲート絶縁膜２２と、ゲート絶縁膜２２を介して半導体膜２０の上方に配置されたゲート電極２４と、ゲート絶縁膜２２を貫通して半導体膜２０に電気的に接続するソース電極２６及びドレイン電極２８と、を含む。
【００３７】
ソース電極２６及びドレイン電極２８の一方は、画素電極３０に電気的に接続されている。また、絶縁膜３２を介して画素電極３０とは異なる層位置にコモン電極３４が形成されている。図１の例では、コモン電極３４の上方（第１基板１０から離れた側）に画素電極３０が位置しているが、上下逆の配置であってもよい。画素電極３０及びコモン電極３４も回路層１７の一部である。
【００３８】
以上の部品を含むように液晶表示パネル３６が構成される。複数の画素電極３０及び複数のコモン電極３４の間に生じる電界を利用した光の制御で画像を表示する。本実施形態では、画素電極３０及びコモン電極３４の間に形成される電界で液晶材料１４を駆動する。画素電極３０及びコモン電極３４は第１基板１０に形成されているので、画素電極３０及びコモン電極３４の間に形成される電界は横電界である。あるいは、画素電極３０を第１基板１０に形成し、コモン電極３４を第２基板１２に形成し、縦電界によって液晶材料１４を駆動してもよい。いずれの構成であっても、画素電極３０及びコモン電極３４は、第２基板１２及び第１基板１０の間に配置される。
【００３９】
第２基板１２には配線パターン３８が形成されている。図１の例では、第２基板１２の、液晶材料１４とは反対側の面に配線パターン３８が配置されている。図２に示すように、配線パターン３８は、長方形の第２基板１２の縦方向（長辺方向）に延びる。複数のコモン電極３４が、横方向（長方形の第１基板１０の短辺方向）に延びて隣同士が縦方向（長方形の第１基板１０の長辺方向）に並ぶ。配線パターン３８及びコモン電極３４の間に形成される電界を遮る物質の有無による静電容量の差によってタッチの有無を検出する。
【００４０】
詳しくは、配線パターン３８とコモン電極３４にそれぞれ異なる電圧を印加して両者間（詳しくは対向領域の外側）に電界（フリンジ電界）を形成する。配線パターン３８及びコモン電極３４の間に形成される電界を遮る物質（例えば指４０）の有無による静電容量の差によってタッチの有無を検出する。つまり、第２基板１２、配線パターン３８及びコモン電極３４によってタッチパネル４２（図１参照）が構成される。タッチパネル４２には、粘着層４４を介してフロントパネル４６が貼り付けられて補強されている。
【００４１】
本実施形態によれば、タッチパネル４２が内蔵されているので、装置を従来よりも薄くすることができる。また、液晶表示パネル３６及びタッチパネル４２は、第２基板１２を共有するので、両者の重ね合わせずれ対策が必要ない。
【００４２】
図３は、第１基板１０及び第２基板１２の端部を示す断面図である。第１基板１０は、第２基板１２から突出する突出部１０ａを有するように配置される。第１基板１０の突出部１０ａと第２基板１２とが階段状になり、低い面（第１基板１０の突出部１０ａの表面）と高い面（第２基板１２の表面）が形成される。第１基板１０の突出部１０ａに集積回路チップ５０が搭載されている。集積回路チップ５０は、液晶材料１４の駆動回路を内蔵する。集積回路チップ５０の外周に接触するように、集積回路チップ５０の電気的接続部分への応力集中防止などのための保護用の樹脂５４が設けられている。第１基板１０の突出部１０ａに、液晶表示パネル３６と外部との電気的接続のためにフレキシブルプリント配線板５２が取り付けられている。樹脂５４は、フレキシブル配線基板４８の端部に載っている。
【００４３】
第２基板１２は、図２に示すように長方形の平面形状を有し、長辺に沿った縦方向に複数の配線パターン３８が延びている。第２基板１２の配線パターン３８は、複数のターミナル３８ａを有する（図３及び図４参照）。配線パターン３８は、ＩＴＯ（Indium Tin Oxide）などの透明導電材料からなる。第２基板１２には、配線パターン３８と外部との電気的接続のためにフレキシブル配線基板４８が取り付けられている。フレキシブル配線基板４８は、第２基板１２に重なるように接合されて配線パターン３８に電気的に接続する。
【００４４】
図３に示すように、フレキシブル配線基板４８は多層基板である。フレキシブル配線基板４８は、第１導電パターン層５６、第２導電パターン層５８、並びに第１導電パターン層５６及び第２導電パターン層５８の間に介在する絶縁層６０を含む。絶縁層６０の一方の面（図３で下面）に第１導電パターン層５６が形成され、他方の面（図３で上面）に第２導電パターン層５８が形成されている。絶縁層６０は、樹脂などからなるベースフィルムである。第１導電パターン層５６は、電気的接続に好適な金メッキ層５６ａを最表層（図３では最下層）として下地となる銅箔層５６ｂを有する。金メッキ層５６ａが配線パターン３８のターミナル３８ａに接合する。第２導電パターン層５８は例えば銅箔からなる。第２導電パターン層５８を覆うように、絶縁層６０には保護膜６２が形成されている。
【００４５】
図４は、フレキシブル配線基板４８の平面形状及び接続位置を示す平面図である。図５は、フレキシブル配線基板４８の第１導電パターン層５６を示す平面図である。図６は、フレキシブル配線基板４８の第２導電パターン層５８を示す平面図である。
【００４６】
フレキシブル配線基板４８は、第２基板１２（詳しくはその端部）に重なる重複部６４を含む。重複部６４で、フレキシブル配線基板４８は、第２基板１２に接合し、第２基板１２の配線パターン３８（複数のターミナル３８ａ）に電気的に接続する。重複部６４が重なる第２基板１２の端部は、縦方向（図４で上下方向）の一方の側（図４で下側）にある端部であって、横方向（図４で左右方向）に延びる端部である。重複部６４の長さ方向（図４で左右方向）と第２基板１２の横方向（図４で左右方向）が一致する。第１基板１０の突出部１０ａは、フレキシブル配線基板４８の重複部６４が重なる第２基板１２の端部から突出する。
【００４７】
フレキシブル配線基板４８は、重複部６４から引き出される引出部６６を含む。引出部６６は、重複部６４の長さ方向に交差するように引き出される。引出部６６は、重複部６４の長さ方向（図４で左右方向）の中間部を避けた位置から引き出されている。引出部６６は、重複部６４の長さ方向の両端部の一方から引き出されている。フレキシブル配線基板４８の引出部６６は、第１基板１０の突出部１０ａの全部は覆わないようになっている。すなわち、引出部６６は、突出部１０ａの一部と重複するが他の部分との重複を避けるように引き出されている。引出部６６は、第１基板１０の突出部１０ａに搭載された集積回路チップ５０と重複しないように配置されている。言い換えると、フレキシブル配線基板４８は、集積回路チップ５０の方向には、第２基板１２から突出しないようになっている。すなわち、フレキシブル配線基板４８は、第２基板１２から突出するように引出部６６を有するが、引出部６６は、重複部６４の集積回路チップ５０の隣の位置を避けて、重複部６４から引き出される。
【００４８】
第１導電パターン層５６は、複数の端子部６８を含む。複数の端子部６８は、配線パターン３８（複数のターミナル３８ａ）に重なって電気的に接続される。端子部６８は、重複部６４の長さに交差する幅方向（図４又は図５で上下方向）に延びる形状である。複数の端子部６８は、複数のグループに分けられる。それぞれのグループの端子部６８は、隣り合う２つ以上（図４の例では３つ以上）の端子部６８から構成される。それぞれのグループを構成する隣り合う２つ以上の端子部６８は、第２基板１２の配線パターン３８の１つのターミナル３８ａに電気的に接続する（図４参照）。詳しくは、図３に示すように、異方性導電材料（例えば異方性導電フィルム）７０を介して、端子部６８とターミナル３８ａが電気的に接続する。
【００４９】
それぞれのグループを構成する隣り合う２つ以上の端子部６８は、結線部７２で電気的に接続されている。結線部７２も第１導電パターン層５６の一部である。結線部７２は、重複部６４の長さ方向（図４で左右方向）に延びる形状である。それぞれのグループを構成する隣り合う２つ以上の端子部６８と結線部７２とが、交点部を共有して交差する形状をなしている。端子部６８が延びる方向と、結線部７２が延びる方向が交差する。結線部７２は、重複部６４の幅方向（図５で上下方向）の中央に位置する。したがって、重複部６４の幅の両方向に異方性導電材料７０（図３参照）の、硬化前のバインダ（樹脂）が流れるので、結線部７２が異方性導電材料７０のバインダの流動を妨げるとしてもその影響は小さい。
【００５０】
それぞれのグループを構成する隣り合う２つ以上の端子部６８は、１つの端子部６８と結線部７２との交点に第１ランド部７４を有する。第１ランド部７４は、３つ以上の端子部６８の配列方向で両端を除く位置にある端子部６８に設けられる。第１ランド部７４上にコンタクト部７６（図３参照）が設けられる。コンタクト部７６は、絶縁層６０を貫通するように設けられている（図３参照）。コンタクト部７６は金属などの導電材料からなる。コンタクト部７６によって、第１ランド部７４は第２導電パターン層５８に電気的に接続される。また、コンタクト部７６は、第２基板１２の配線パターン３８のターミナル３８ａと重なるように位置する。
【００５１】
第１導電パターン層５６は、ダミー端子７８を含む。ダミー端子７８は、隣同士のグループの端子部６８の間に配置されている。ダミー端子７８は、結線部７２に電気的に導通しないようになっている。端子部６８を配置しない領域にダミー端子７８を設けることで、端子部６８の有無による凹凸を減らすことができる。第１導電パターン層５６は、図５に示すように、複数の端子部６８から分離されて引出部６６に配置された複数の第１配線８０を含む。第１配線８０は、図示しない外部端子を有する。
【００５２】
第２導電パターン層５８は、図６に示すように、複数のコンタクト部７６（図３参照）にそれぞれ電気的に接続する複数の第２配線８２を含む。詳しくは、第２配線８２は、コンタクト部７６と重なる第２ランド部８４を含む。第２配線８２は、フレキシブル配線基板４８の重複部６４を通るように形成されている。複数の第２配線８２は、重複部６４で、複数のコンタクト部７６よりも引出部６６が引き出される側（図６で下側）の側端部を通る配線８２ａと、引出部６６が引き出される側とは反対側（図６で上側）の側端部を通る配線８２ｂと、を含む。
【００５３】
第２配線８２は、引出部６６で、図５に示す第１導電パターン層５６の複数の第１配線８０に電気的に接続される。第１配線８０は第１パッド８６を有し、第２配線８２は第２パッド８８を有する。第１パッド８６及び第２パッド８８は、重複するように位置し、両者間で絶縁層６０を貫通する導電材料（図示せず）を介して電気的に接続する。
【００５４】
第２導電パターン層５８は、複数の第２配線８２との接触を避けるように形成された面状パターン９０を有する。面状パターン９０はＧＮＤに接続されてもよい。面状パターン９０を設けることで、第２配線８２の有無による凹凸を減らすことができる。
【００５５】
本実施形態によれば、フレキシブル配線基板４８は、絶縁層６０を貫通して複数の端子部６８をそれぞれ第２導電パターン層５８に電気的に接続する複数のコンタクト部７６を含む。複数のコンタクト部７６は、複数の端子部６８と重なるように配置される。したがって、フレキシブル配線基板４８の幅を狭くすることができる。それぞれのコンタクト部７６の外径は、端子部６８及び結線部７２の幅よりも大きい。
【００５６】
［変形例１］
図７は、フレキシブル配線基板の変形例１を示す図である。この例では、それぞれのグループの端子部１６８は、３つ以上の端子部１６８を含む点では上記実施形態（図５）と同じであるが、第１ランド部１７４は、３つ以上の端子部１６８の配列方向で、両端のいずれかに位置する端子部１６８に設けられる点で上記実施形態と異なる。
【００５７】
［変形例２］
図８は、フレキシブル配線基板の変形例２に係る第１導電パターンを示す図である。図９は、フレキシブル配線基板の変形例２に係る第２導電パターンを示す図である。
【００５８】
図８に示すように、複数のグループの端子部２６８にそれぞれ電気的に接続する複数の結線部２７２は、複数のグループの端子部２６８の配列順（例えば図８で右から左）に、重複部２６４の幅方向の一方側から他方側（例えば上から下）にずれて位置する。
【００５９】
図９に示すように、複数の第２配線２８２は、重複部２６４で、複数のコンタクト部７６（図３参照）よりも、引出部２６６が引き出される側を避けて、引出部２６６が引き出される側とは反対側の側端部を通る。
【００６０】
これによれば、複数のグループの端子部２６８の配列の順番と、複数の第２配線２８２の配列の順番が対応するようになる。例えば、図８で右からｎ（ｎ≧１）番目のグループの端子部２６８に電気的に接続する第２配線２８２は、引出部２６６で左からｎ番目に位置する。
【００６１】
［変形例３］
図１０は、フレキシブル配線基板の変形例３に係る第１導電パターンを示す図である。図１１は、フレキシブル配線基板の変形例３に係る第２導電パターンを示す図である。
【００６２】
上述した図３に示すフレキシブル配線基板４８は、異方性導電材料７０を使用して、圧着によって第２基板１２と接合する。圧着のために、熱及び圧力が異方性導電材料７０に加えられる。フレキシブル配線基板４８の重複部６４の全体が圧着部である。
【００６３】
本変形例では、フレキシブル配線基板３４８の重複部３６４は、圧着によって第２基板３１２と接合される圧着部３９２及び第２基板３１２に圧着を避けて重なる非圧着部３９４を有する。
【００６４】
図１０に示すように、複数のグループの端子部３６８にそれぞれ電気的に接続する複数の結線部３７２は、全て、重複部３６４の中央よりも幅方向のいずれかの側（図１０で上側）にずれて位置する。
【００６５】
１つの端子部３６８と結線部３７２との交点に位置する第１ランド部３７４は、非圧着部３９４に配置されている。第１ランド部３７４にコンタクト部７６（図３参照）が重なる。つまり、複数のコンタクト部７６（図３参照）は、非圧着部３９４に配置されている。これによれば、異方性導電材料７０に熱及び圧力を加えるときに、コンタクト部７６には圧力を加えないようになり、コンタクト部７６に加えられる熱の温度も下がる。
【００６６】
図１０に示すように、第２基板３１２の、フレキシブル配線基板３４８に接合される端部は、縦方向の先端側の外方部３９６と、先端部よりも第２基板３１２の中央側の内方部３９８と、を含む。圧着部３９２は、外方部３９６に接合されている。非圧着部３９４は、内方部３９８に重なる。
【００６７】
図１１に示すように、第２導電パターン層３５８は、複数の第２配線３８２との接触を避けるように形成された面状パターン３９０を有する。面状パターン３９０は、非圧着部３９４との重複を避けて圧着部３９２と重複するように形成されている。つまり、非圧着部３９４には面状パターン３９０を配置しないので、異方性導電材料３７０に熱及び圧力加えるときに、面状パターン３９０から逃げる熱量を減らすことができる。
【００６８】
［変形例４］
図１２は、変形例４に係るタッチパネル内蔵型液晶表示装置を示す平面図である。図１３は、変形例４に係るフレキシブル配線基板の第１導電パターンを示す図である。図１４は、変形例４に係るフレキシブル配線基板の第２導電パターンを示す図である。
【００６９】
この例では、フレキシブル配線基板４４８の引出部４６６ａ，４６６ｂは、重複部４６４の長さ方向の両端部からそれぞれ引き出されている。フレキシブル配線基板４４８は、重複部４６４から間隔をあけて、重複部４６４の両端からそれぞれ引き出された引出部４６６ａ，４６６ｂを連結する連結部４００を有する。重複部４６４と連結部４００の間にスペース４０２が形成されている。
【００７０】
一方の引出部４６６ａよりも、他方の引出部４６６ｂが長くなっている。詳しくは、一方の引出部４６６ａの端部から連結部４００が延びており、他方の引出部４６６ｂは、連結部４００を超えてさらに長く延びている。複数の第１配線４８０は、一方の引出部４６６ａから連結部４００を通って他方の引出部４６６ｂに至るように形成されている２つ以上の第１配線４８０ａと、他方の引出部４６６ｂに形成された２つ以上の第１配線４８０ｂと、を含む。
【００７１】
複数の第２配線４８２は、重複部４６４の長さ方向（図１４で左右方向）で、第２ランド部４８４から相互に反対方向に延びる一対のグループに分けられる。一方のグループの第２配線４８２は、一方の引出部４６６ａで２つ以上の第１配線４８０ａと電気的に接続し、他方のグループの第２配線４８２は、他方の引出部４６６ｂで２つ以上の第１配線４８０ｂと電気的に接続する。連結部４００には面状パターン４９０が形成されている。面状パターン４９０は、引出部４６６ｂに連結部を超える位置まで至るように形成されている。
【００７２】
本変形例では、フレキシブル配線基板４４８を第２基板４１２に取り付ける前に、図１２に示すように、集積回路チップ４５０を保護するための樹脂４５４ａを第１基板４１０に設けておく。その場合、第２基板４１２の配線パターン４３８のターミナル４３８ａに樹脂４５４ａが付着しないように、配線パターン４３８から離れた位置にのみ樹脂４５４ａを設ける。例えば、第１基板４１０上で、集積回路チップ４５０よりもターミナル４３８ａに近い領域を避けて、樹脂４５４ａを設ける。
【００７３】
そして、フレキシブル配線基板４４８を第２基板４１２に取り付ける。樹脂４５４ａがターミナル４３８ａに付着していないので良好な電気的接続が可能である。その後、フレキシブル配線基板４４８の重複部４６４と連結部４００の間にスペース４０２から、さらに樹脂４５４ｂを充填して、集積回路チップ４５０をさらに保護する。詳しくは、上述した樹脂４５４ｂの充填では、樹脂４５４ａを設けなかった領域（ターミナル４３８ａに近い領域）に樹脂４５４ｂを設ける。
【００７４】
本変形例によれば、フレキシブル配線基板４４８を第２基板４１２に取り付けた後に、ターミナル４３８ａに近い領域に樹脂４５４ｂを設けるので、ターミナル４３８ａに樹脂４５４ｂが付着して電気的接続を妨げるという問題が生じない。
【００７５】
［変形例５］
図１５は、変形例５に係るタッチパネル内蔵型液晶表示装置を示す平面図である。この例では、第２基板５１２に形成された配線パターン５３８は、複数の第１配線５８０及び複数の第２配線５８２を含む。第１配線５８０は、画像表示領域５０４から第２基板５１２の縦方向（図１５の上下方向）に引き出され、端部に第１ターミナル５３８ａを有する。第２配線５８２は、画像表示領域５０４から第２基板５１２の横方向（図１５の左右方向）に引き出され、画像表示領域５０４の外側にある額縁とよばれる周縁領域５０６で屈曲して、第２基板５１２の縦方向（図１５の上下方向）に引き出され、端部に第２ターミナル５３８ｂを有する。フレキシブル配線基板５４８は、第１配線５８０及び第２配線５８２に電気的に接続する。
【００７６】
図１６は、配線パターン５３８の画像表示領域５０４の内側にある部分を拡大した図である。配線パターン５３８は、画像表示領域５０４の内側では、複数の第１電極５０８及び複数の第２電極５０９を含む。第１電極５０８に第１配線５８０が接続され、第２電極５０９に第２配線５８２が接続される。
【００７７】
第１電極５０８は、第１幅広部５０８ａと、第１幅広部５０８ａよりも細い第１ライン部５０８ｂと、を含む。間隔をあけて第１幅広部５０８ａが位置し、隣同士の第１幅広部５０８ａを第１ライン部５０８ｂが接続するようになっている。
【００７８】
第２電極５０９は、第２幅広部５０９ａと、第２幅広部５０９ａよりも細い第２ライン部５０９ｂと、を含む。間隔をあけて第２幅広部５０９ａが位置し、隣同士の第２幅広部５０９ａを第２ライン部５０９ｂが接続するようになっている。第２ライン部５０９ｂは、図示しない絶縁体を介して、第１ライン部５０８ｂと立体交差するようになっている。
【００７９】
上述した実施形態（図２）では、配線パターン３８とコモン電極３４にそれぞれ異なる電圧を印加し、両者間に形成される電界を利用してタッチの有無を検出する。コモン電極３４が第１基板１０に形成され、配線パターン３８が第２基板１２に形成されている。
【００８０】
これに対して、本変形例では、配線パターン５３８の第１電極５０８及び第２電極５０９の間に形成される電界を利用してタッチの有無を検出する。第１電極５０８及び第２電極５０９は、いずれも第２基板５１２に形成されている。
【００８１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００８２】
１０  第１基板、１０ａ  突出部、１２  第２基板、１４  液晶材料、１６  配向膜、１７  回路層、１８  薄膜トランジスタ、２０  半導体膜、２２  ゲート絶縁膜、２４  ゲート電極、２６  ソース電極、２８  ドレイン電極、３０  画素電極、３２  絶縁膜、３４  コモン電極、３６  液晶表示パネル、３８  配線パターン、３８ａ  ターミナル、４０  指、４２  タッチパネル、４４  粘着層、４６  フロントパネル、４８  フレキシブル配線基板、５０  集積回路チップ、５２  フレキシブルプリント配線板、５４  樹脂、５６  第１導電パターン層、５６ａ  金メッキ層、５６ｂ  銅箔層、５６  第１導電パターン層、５８  第２導電パターン層、６０  絶縁層、６２  保護膜、６４  重複部、６６  引出部、６８  端子部、７０  異方性導電材料、７２  結線部、７４  第１ランド部、７６  コンタクト部、７８  ダミー端子、８０  第１配線、８２  第２配線、８２ａ  配線、８２ｂ  配線、８４  第２ランド部、８６  第１パッド、８８  第２パッド、９０  面状パターン、１６８  端子部、１７４  第１ランド部、２６４  重複部、２６６  引出部、２６８  端子部、２７２  結線部、２８２  第２配線、３１２  第２基板、３４８  フレキシブル配線基板、３５８  第２導電パターン層、３６４  重複部、３６８  端子部、３７０  異方性導電材料、３７２  結線部、３７４  第１ランド部、３８２  第２配線、３９０  面状パターン、３９２  圧着部、３９４  非圧着部、３９６  外方部、３９８  内方部、４００  連結部、４０２  スペース、４１０  第１基板、４１２  第２基板、４３８  配線パターン、４３８ａ  ターミナル、４４８  フレキシブル配線基板、４５０  集積回路チップ、４５４ａ  樹脂、４５４ｂ  樹脂、４６４  重複部、４６６ａ  一方の引出部、４６６ｂ  他方の引出部、４８０  第１配線、４８２  第２配線、４８４  第２ランド部、４９０  面状パターン、５０４  画像表示領域、５０６  周縁領域、５０８  第１電極、５０８ａ  第１幅広部、５０８ｂ  第１ライン部、５０９  第２電極、５０９ａ  第２幅広部、５０９ｂ  第２ライン部、５１０  第１基板、５１２  第２基板、５３８  配線パターン、５３８ａ  第１ターミナル、５３８ｂ  第２ターミナル、５４８  フレキシブル配線基板、５８０  第１配線、５８２  第２配線。
【図１】
2014134658.tif 000003
【図２】
2014134658.tif 000004
【図３】
2014134658.tif 000005
【図４】
2014134658.tif 000006
【図５】
2014134658.tif 000007
【図６】
2014134658.tif 000008
【図７】
2014134658.tif 000009
【図８】
2014134658.tif 000010
【図９】
2014134658.tif 000011
【図１０】
2014134658.tif 000012
【図１１】
2014134658.tif 000013
【図１２】
2014134658.tif 000014
【図１３】
2014134658.tif 000015
【図１４】
2014134658.tif 000016
【図１５】
2014134658.tif 000017
【図１６】
2014134658.tif 000018